(57)【要約】      （修正有） 【課題】構造部全体の引張制御回転構造の安定を確保し、片手による安全な操作を可能にし、簡易な組立構造で使用上安全で実用的な電動釘抜機を提供する。【解決手段】ヘッド座本体１０を具え、該ヘッド本体１０内に、動力を供給する該ヘッド座本体１０に連結して伝動する回転軸２６と、及び該回転軸２６に螺着して釘抜の直線的シフトに用いるスライド部材２０とを設け、該ヘッド座本体１０は、金属鋼材によってなるスライド座１１とアルミ材によってなる端縁部材１３とによって構成し、外側をプラスチック材被覆して一体に成形し、該スライド座１１の内周面に等間隔で環状に複数のスライド溝１４を形成し、該スライド部材２０に該スライド溝１４に対応する凸出した鍵状のリブ２１を形成して該スライド溝１４に挿入し、該スライド部材２０を一端にネジ止めした螺着部材２４と回転軸２６とによって螺合して伝動を行う場合に、該リブ２１が該スライド溝１４内に挿入されて安定して軸方向にスライドシフトする。【選択図】図３
0003211971.tif 000002
【実用新案登録請求の範囲】
【請求項１】
電動釘抜機の構造であって、ヘッド座本体を具え、該ヘッド本体内に、
動力を供給する該ヘッド座本体に連結して伝動する回転軸と、及び該回転軸に螺着して釘抜の直線的シフトに用いるスライド部材とを設け、
該ヘッド座本体は、金属鋼材によってなるスライド座とアルミ材によってなる端縁部材とによって金属質の構造を構成し、外側をプラスチック材被覆して一体に成形し、該スライド座の内周面に等間隔で環状に複数のスライド溝を形成し、該スライド部材に該スライド溝に対応する凸出した鍵状のリブを形成して該スライド溝に挿入し、該スライド部材を一端にネジ止めした螺着部材と回転軸とによって螺合して伝動を行う場合に、該リブが該スライド溝内に挿入されて安定した軸方向のスライドシフトするように構成したことを特徴とする電動釘抜機の構造の改良。
【請求項２】
前記スライド座が階段状を呈する長い管体であって、かつ該スライド座の管径の比較的太い一端に、円盤状を呈する端縁部材を螺着して一体に連結し、該端縁部材の円盤状の両端にネジ孔座をそれぞれ対向させて形成することを特徴とする請求項１に記載の電動釘抜機の構造の改良。
【請求項３】
前記スライドのリブが口径の太い一端の外周面に等間隔で配置され、スライド部材を取り付けるテーパ状の一端内部から順に１組の半分の形状の挟持ブロックを挿設し、該挟持ブロックの底端と組み合わせる弾性押圧部材を挿入して押圧し、スライド部材の他端の該螺着部材と該回転軸とによって螺合して駆動する場合に該回転軸が回転して該スライド部材の内側に進入して該押圧部材を押圧し、同時に該挟持ブロックの駆動を制御して釘抜をする釘軸を挟持して固定するように構成したことを特徴とする請求項１に記載の電動釘抜機の構造の改良。
【請求項４】
前記スライド座と該端縁部材との間に軸受部材を設けて、該回転軸が該
スライド座内に挿入され、該回転軸の中央部が支持されて安定して位置決めされることを特徴とする請求項１に記載の電動釘抜機の構造の改良。
【請求項５】
前記挟持ブロックは端縁部が円錐状に形成され、中央の面を粗い挟持面とすることを特徴とする請求項３に記載の電動釘抜機の構造の改良。
【請求項６】
電動釘抜機の構造であって、ヘッド座本体を具え、該ヘッド本体内に、
動力を供給する該ヘッド座本体に連結して伝動する回転軸と、及び該回転軸に螺着して釘抜の直線的シフトに用いるスライド部材とを設け、
該ヘッド座本体の一端の端縁部材の両側にネジ孔座を設けて、１組のプラスチック製伸縮アームを組み立ててハンドルアシスト部を構成し、両側の軸体前端に形成したネジ孔座にしたがって、ヘッド座本体両側のネジ孔座にボルトで直接取り付けて、相対するアーム末端に設ける長ボルトによって、挟持幅の調整と、及び簡易なネジ締めによる挟持、位置決めを行ない該ヘッド座本体との連結構造を形成することを特徴とする請求項１に記載の電動釘抜機の構造の改良。
【請求項７】
前記ハンドルアシスト部をヘッド座に連結して伝動制御する電動せん断機に適用して取り付けることを特徴とする請求項６に記載の電動釘抜機の構造の改良。
【考案の詳細な説明】
【技術分野】
【０００１】
この考案は、電動釘抜機の改良構造に関する。
【背景技術】
【０００２】
従来の釘抜機に使用される構造について、常に見られるものに例えば台湾実用新案第Ｍ４１８７６２号公報に開示される「釘抜機ヘッドの構造改良」がある。該公報に開示される構造は、釘抜機のヘッド本体と、内設される伝動用の回転軸及び螺合することで釘引き軸を引っ張って制御する移動ガイド部材とを含んでなり、移動ガイド部材のガイド端の断面を多角形に設定するとともに、本体内部に形成する貫通孔の断面の形状は該移動ガイド部材のガイド端の多角形の断面形状に合わせて形成する。釘抜の走査に供する場合、移動ガイド部材と移動ガイド部材と回転運動をする回転軸構造は、回転と直線に摺動する二種類の運動を同時に行うとともに、移動ガイド部材とヘッド本体との間は、多角形状によって表面の荷重を受ける部位が増加することから、回転、引張による摩耗が分散し、移動ガイド、もしくは本体の摩耗による変形を抑制し、かつ移動ガイド部材の円滑な往復運動の達成いう予期される効果が得られる。その構造の設計は、ヘッド本体に多角形状を形成するとともに、移動ガイド部材にも同様の多角形を形成し、かつその面を以って挿設して組み立てることを重点とし、回転軸の回転と相対して螺着する移動ガイド部材を螺入して引っ張る動作を形成し、多角形状の面の係合によって方向が定まり、移動ガイド部材の回転運動が直線的な摺動に転換される。よって、移動ガイド部材全体が回転トルクと、外周が多角形状の移動ガイド部材のガイド方向の摺動による抵抗とを同時に受ける。摺動による全体的な摩擦の抵抗力を低下させるために、多角形状の挿設セットを構成し、これを以って、それぞれの面において大きな抵抗力が発生しないようにする。然しながら、係る状況は、ヘッド本体の材質の制限を受ける。即ち、ヘッド本体外観は通常繊維補強プラスチック、アルミ、もしくは亜鉛をプレス成型してなり、材質が比較的柔らかく、金属質の移動ガイド部材の回転トルクと、摺動などの多方向からの力を受ける状況下で、本体内の多角形状の角が交差する部分には、摩擦で深刻な損耗が発生するという情況が常に発生する。よって、釘抜作業を行うべく操作する場合、内部の多角形状部は損耗を受けて角が取れ、丸くなった状態になることから移動ガイド部材の回転が偏るといった状況が常に発生し、深刻な状況ではデッドロック状態となって引っ張り制御の不良が発生する。畢竟その原因はヘッド本体の設計が適宜でないことにあり、而も回転と摺動から受ける、損耗を招く力は比較的大きい。よって、如何にして接触面積を減少させ、相対的な被覆を達成し、回転と摺動から受ける力を分散させるか、を以って改良の方向とし、それぞれ課題とすることで、始めて従来の釘抜機の欠点を有効に改善することができる。したがって、従来の釘抜機の回転制御構造には、さらに一歩進んで改良の余地があり、必要がある。この点が、正にこの考案において改良すべく研究開発する所以である。
【考案の概要】
【考案が解決しようとする課題】
【０００３】
この考案は、一定方向への安全な引っ張りによるスライド部材の摺動を達成し、構造部全体の引張制御回転構造の安定を確保し、操作が安全で実用的な釘抜機を提供することを課題とする。
【０００４】
また、この考案は一般の電気、エアドリル用の釘打座本体と一体に連結して片手による安全な操作を可能にし、簡易な組立構造で使用上安全で実用的な釘抜機を提供することを課題とする。
【課題を解決するための手段】
【０００５】
この考案の主な目的は、ヘッド座本体が独立して可動な挿設セットの製造において、鋼性を具える鋼材のスライド座の外側をプラスチック材料で被覆して成型する。スライド座内には同様に金属材によるスライド座を設け、伝動機構を収納し、挿入して安定した固定を達成し、安全であるという効果を達成し、溝式の挿入でスライドをガイドし、スライド部材が回転トルクを受けて摺動に転換した場合、安全なスライド移動制御をガイドする操作を具え、釘抜操作に使用して安全、実用的な駆動の効果と目的を達成する。
【０００６】
また、スライド座の端縁部外側に金属製のＴ字状端縁部材をネジで取り付ける。その円盤状の両側は、それぞれネジ孔座に対応して設けられ伸縮の長さと幅を調整してハンドルアシスト部を直接ネジで取付ける、また一般の電気、エアドリルのヘッド座本体と一体に連結させることで、釘抜の片手による安全で便利な操作が得られ、組立構造が簡易、便利で、安全且つ実用的という目的を達成する。  
【図面の簡単な説明】
【０００７】
【図１】この考案におけるヘッド座の構造を示した分解図である。
【図２】この考案におけるヘッド座の外観を示した斜視図である。
【図３】この考案におけるヘッド座の内部構造を示した説明図である。
【図４】この考案における釘抜操作の状態を示した説明図である。
【図５】この考案における釘抜操作の状態を示した他の説明図である。
【図６】この考案におけるハンドルアシストセットの動作を示した説明図である。
【図７】この考案による釘抜機の外観を示した斜視図である。
【図８】この考案におけるハンドルアシスト軸と電動せん断機とを組み立てた状態を示した斜視図である。
【考案を実施するための形態】
【０００８】
この考案は一種の電動釘抜機の改良構造であって、その釘抜に使用する電動釘打機に組み付ける構造の改良のための設計である。図１から図７に開示するように、ヘッド座本体１０を具え、ヘッド座本体１０には金属鋼材によってなり、ほぼ階段状を呈する長い管体のスライド座１１を内設する。スライド座１１は、管径の比較的太い一端の外周面に螺刻してネジ面１１１とする。ネジ面１１１には、アルミニウムにプレス加工して円盤形状を呈し、かつ両端に凸出したネジ孔座１２を具える端縁部材１３を螺着して一体にする。鋼材とアルミ材という異なる材料の組み合わせによって、螺着した後の全体的な重量が適度に軽減され、手に持って使用する場合に軽く便利になる。また、スライド座１１の内周面は階段状に形成し、一方側の内径が太く、他方の側の内径を細くするとともに、内周面には、長手方向に複数の凹状のスライド溝１４を形成する。複数のスライド溝１４は内周面において円周に沿って等分した位置に分布するよう配列する。スライド座１１内にはロケット形状を呈するスリーブ状のスライド部材２０を挿設する。スライド部材２０の口径の太い一端の外周面には、スライド座１１の内周面の円周に沿って等分した位置に配列する複数のスライド溝１４に対応する、凸出した鍵状のリブ２１を形成し、リブ２１をスライド溝１４に挿入する。スライド部材２０を挿入する方向の前端であって、テーパ状を呈する一端の内部には、対向して設ける半分ずつで１組となる挟持ブロック２２を組み合わせた円錐形端縁ヘッド部を順に挿入する。該円錐形端縁ヘッド部は中央が貫通孔状になり、かつ孔の内周面を粗い挟持面とする。該挟持面は円弧線を描く凹状か、もしくはＶ字状に形成して、径の異なる釘軸３０の挿入に供し、使用する場合に確実に挿入され、確実に挟持されて固定されるようにする。挟持端の底端部には１組の弾性押圧部材２３を挿設して押圧に供する。さらに、スライド部材２０の他端の口部には螺着部材２４を螺着して固定し、閉鎖する。同時に弾性押圧部材２３を取り付けて固定する。螺着部材２４は、中央を貫通するネジ孔２５を形成して、回転軸２６を螺入し、回転させるために供する。また、スライド座１１に端縁部材１３を螺着する前に、回転軸２６を支持して回転を制御し、動力を節減させる必要から、スライド座１１と端縁部材１３との間には、予め軸受部材２７を設置し、回転軸２６がスライド座１１内に挿入され、スライド部材２０の一端のヘッド部の螺着部材２４が螺合した後、軸体の中央部が支持されて安定した位置決めが得られる。よって、電気、エア釘打座挿入セットに動力を伝動し、回転させて使用する場合、安定した支持と連動が得られる。スライド座１１の外部に伸出する一端には、テーパ状ヘッド部材１５を螺着して取り付けて、スライド座１１の一端を閉鎖して、完全な装置ヘッド部構造の組立を完成させる。また、テーパ状ヘッド部材１５の一端の端面中央に釘抜位置決め部材１６を螺入する。テーパ状ヘッド部材１５の一端の端面中央の孔径は使用する釘軸３０の直径と同一とする。よって、釘軸３０を挿入した後、釘抜の操作を行う場合、釘軸３０は揺れたり、位置がずれたりすることがなく、確実な釘抜操作を達成し、使用上の安全を達成するとこができる。
【０００９】
全体が金属材によってなるスライド座１１と端縁部材１３とを組み立てて取り付けた後、手に握った場合の安全性と、及び握った場合の触感をよくすることは確実に必要である。よって、特にプラスチック材で外面を覆い被覆層とし、曲線を具え握った場合に手に馴染み、かつ好ましい外観の得られる本体１０とする。使用する場合は、ヘッド座本体１０の回転軸２６の伸出する一端を、電気、エアドリル用のヘッド座本体４０の動力出力端に直接挿入し、出力される動力で回転軸を回転させ、同時に螺着部材２４によって回転を制御し、スライド部材２０のリブ２１をスライド座１１のスライド溝１４に挿入することでスライド座１１のスライド溝１４に係合し、回転しなくなる。螺着部材２４全体は回転軸の回転にしたがって回転を制御し、スライド溝１３に沿って直線方向に摺動し、引張制御のスライド移動操作を達成する。釘抜の操作を行う場合、釘軸３０はテーパ状ヘッド部材１５の外側からスライド部材２０の挟持ブロック２２の中央内部に深く入り、釘ヘッド３１の位置決め端板３２をテーパ状ヘッド部材１５の外側に挿入して係合させ、挟持され、固定されたワーク板３３が釘ヘッド３１の底部端板３２の外側に当接する。ヘッド座本体４０の動力スイッチをオンにして回転軸２６を回転させると、スライド部材２０が螺着部材２４のネジ山に沿った回転による引張りで内方向にスライドし、シフトし、回転軸２６の一端のヘッドは、螺入して弾性押圧部材２３を押圧し、押圧による挟持ブロック２２が相対的にシフトし、自然に釘軸３０を挟持して固定し、内方向に引っ張り支持する操作を行ない、釘ヘッド３１が圧力を受けて変形し、リベット打ちに類似した操作となる。さらに一歩進んで釘軸３０と釘ヘッド３１の連結を引っ張って切断し、釘抜の操作を完成させる。釘抜操作全体は、スライド座１１がネジで接続する端縁部材１３の両側のネジ孔座１２にしたがって、１組のプラスチック製伸縮アームと相対する、Ｕ字状のハンドルアシスト部５０の両前端に貫通孔座５１を形成してボルト５２の螺入に供し、ヘッド座本体１０の両側のネジ孔座１２に直接取り付け、相対するアーム末端に設ける長ボルト５３によって、挟持幅の調整と、及び簡易なネジ締めによる挟持、位置決めを行ない、ハンドルアシスト部５０をヘッド座本体４０の適宜な背面当接位置に至るまで挿入するために供して、ヘッド座本体４０との組立一体化できる構造とし、ヘッド座本体４０と釘打座との簡易で便利な組立を提供し、片手による簡易な釘抜操作の使用を達成し、釘抜操作がさらに一歩進んで安全で力を省くことができるようになり、簡単、便利で実用的という効果達成という目的を達成する。
【００１０】
この考案による電動釘抜機の構造改良の最大の特徴は、ヘッド座本体１０に、金属鋼材によってなるスライド座１１とアルミ製の端縁部材１３とを内設して金属質の構造を形成し、かつ外部をプラスチック材で一体に被覆することで、好ましい外観と握った場合の快適な触感のヘッド座本体１０を構成することにある。スライド座１１の内部には、予め内周面に環状に分布するスライド溝１４を形成し、スライド部材２０上にスライド溝１４に対応する凸出した鍵状のリブ２１を形成してリブ２１をスライド溝１４に挿入し、スライド部材２０を組み立てて回転軸２６に螺着して伝動させる場合、スライド部材２０のリブ２１がスライド溝１４に確実に挿入されるようにする。よって安定したスライドシフトの操作が得られ、釘抜操作の安定した安全特性を達成することができる。別途、ヘッド座本体１０の一端両側のネジ孔座１２に、簡易なネジによる取付けでプラスチック製のハンドルアシスト部５０を設け、ヘッド座本体４０にネジで一体に締結して固定する、このため釘抜の操作が手で握る場合の便利さと力を省いて安全かつ実用的にするといういずれの目的も達成することができる。また、ハンドルアシスト部５０を取り付けることについては、例えば図８に開示するように電動せん断機４１と組み合わせて使用することができる。使用する動力源はヘッド座の動力源と同一であって、ボルト５２によって電動せん断機４１の両側のネジ孔座４２にネジで簡単に取り付けることができ、ヘッド座本体４０と一体に連結し、片手に取って操作できるという実用性の効果を達成することができる。故に、この考案の鍵、溝挿入セットの回転制御ライドシフトの構造設計は、釘抜ヘッド座製品においてこれまで公開もしくは組立てて使用されたこともなく、考案全体が同類商品に比して確かに創作的な実用性を具えた設計となっている。
【符号の説明】
【００１１】
１０    ヘッド座本体
１１    スライド座
１１１  ネジ面
１２    ネジ孔座
１３    端縁部材
１４    スライド溝
１５    テーパ状ヘッド部材
１６    釘抜位置決め部材
２０    スライド部材
２１    リブ
２２    挟持ブロック
２３    弾性押圧部材
２４    螺着部材
２５    ネジ孔
２６    回転軸
２７    軸受部材
３０    釘軸
３１    釘ヘッド
３２    位置決め端板
３３    ワーク板
４０    ヘッド座本体
４１    電動せん断機
４２    ネジ孔座
５０    ハンドルアシスト部
５１    貫通孔座
５２    ボルト
５３    長ボルト
【図１】
0003211971.tif 000003
【図２】
0003211971.tif 000004
【図３】
0003211971.tif 000005
【図４】
0003211971.tif 000006
【図５】
0003211971.tif 000007
【図６】
0003211971.tif 000008
【図７】
0003211971.tif 000009
【図８】
0003211971.tif 000010
【手続補正書】
【提出日】平成29年4月28日(2017.4.28)
【手続補正２】
【補正対象書類名】実用新案登録請求の範囲
【補正対象項目名】全文
【補正方法】変更
【補正の内容】
【実用新案登録請求の範囲】
【請求項１】
電動釘抜機の構造であって、ヘッド座本体を具え、該ヘッド本体内に、動力を供給する該ヘッド座本体に連結して伝動する回転軸と、及び該回転軸に螺着して釘抜の直線的シフトに用いるスライド部材とを設け、
該ヘッド座本体は、金属鋼材によってなるスライド座とアルミ材によってなる端縁部材とによって金属質の構造を構成し、外側をプラスチック材被覆して一体に成形し、該スライド座の内周面に等間隔で環状に複数のスライド溝を形成し、該スライド部材に該スライド溝に対応する凸出した鍵状のリブを形成して該スライド溝に挿入し、該スライド部材を一端にネジ止めした螺着部材と回転軸とによって螺合して伝動を行う場合に、該リブが該スライド溝内に挿入されて安定した軸方向のスライドシフトするように構成したことを特徴とする電動釘抜機。
【請求項２】
前記スライド座が階段状を呈する長い管体であって、かつ該スライド座の管径の比較的太い一端に、円盤状を呈する端縁部材を螺着して一体に連結し、該端縁部材の円盤状の両端にネジ孔座をそれぞれ対向させて形成することを特徴とする請求項１に記載の電動釘抜機。
【請求項３】
前記スライド部材のリブが口径の太い一端の外周面に等間隔で配置され、該スライド部材を取り付けるテーパ状の一端内部から順に１組の半分の形状の挟持ブロックを挿設し、該挟持ブロックの底端と組み合わせる弾性押圧部材を挿入して押圧し、スライド部材の他端の該螺着部材と該回転軸とによって螺合して駆動する場合に該回転軸が回転して該スライド部材の内側に進入して該押圧部材を押圧し、同時に該挟持ブロックの駆動を制御して釘抜をする釘軸を挟持して固定するように構成したことを特徴とする請求項１に記載の電動釘抜機。
【請求項４】
前記スライド座と該端縁部材との間に軸受部材を設けて、該回転軸が該スライド座内に挿入され、該回転軸の中央部が支持されて安定して位置決めされることを特徴とする請求項１に記載の電動釘抜機。
【請求項５】
前記挟持ブロックは端縁部が円錐状に形成され、中央の面を粗い挟持面とすることを特徴とする請求項１に記載の電動釘抜機。
【請求項６】
電動釘抜機の構造であって、ヘッド座本体を具え、該ヘッド本体内に、動力を供給する該ヘッド座本体に連結して伝動する回転軸と、及び該回転軸に螺着して釘抜の直線的シフトに用いるスライド部材とを設け、
該ヘッド座本体の一端の端縁部材の両側にネジ孔座を設けて、１組のプラスチック製伸縮アームを組み立ててハンドルアシスト部を構成し、両側の軸体前端に形成したネジ孔座にしたがって、ヘッド座本体両側のネジ孔座にボルトで直接取り付けて、相対するアーム末端に設ける長ボルト３によって、挟持幅の調整と、及び簡易なネジ締めによる挟持、位置決めを行ない該ヘッド座本体との連結構造を形成することを特徴とする請求項１に記載の電動釘抜機。
【請求項７】
前記ハンドルアシスト部をヘッド座に連結して伝動制御する電動せん断機に適用して取り付けることを特徴とする請求項６に記載の電動釘抜機。
【手続補正３】
【補正対象書類名】明細書
【補正対象項目名】０００８
【補正方法】変更
【補正の内容】
【０００８】
この考案は一種の構造を改良した電動釘抜機を提供するものであって、その釘抜に使用する電動釘打機に組み付ける構造の改良のための設計である。図１から図７に開示するように、ヘッド座本体１０を具え、ヘッド座本体１０には金属鋼材によってなり、ほぼ階段状を呈する長い管体のスライド座１１を内設する。スライド座１１は、管径の比較的太い一端の外周面に螺刻してネジ面１１１とする。ネジ面１１１には、アルミニウムにプレス加工して円盤形状を呈し、かつ両端に凸出したネジ孔座１２を具える端縁部材１３を螺着して一体にする。鋼材とアルミ材という異なる材料の組み合わせによって、螺着した後の全体的な重量が適度に軽減され、手に持って使用する場合に軽く便利になる。また、スライド座１１の内周面は階段状に形成し、一方側の内径が太く、他方の側の内径を細くするとともに、内周面には、長手方向に複数の凹状のスライド溝１４を形成する。複数のスライド溝１４は内周面において円周に沿って等分した位置に分布するよう配列する。スライド座１１内にはロケット形状を呈するスリーブ状のスライド部材２０を挿設する。スライド部材２０の口径の太い一端の外周面には、スライド座１１の内周面の円周に沿って等分した位置に配列する複数のスライド溝１４に対応する、凸出した鍵状のリブ２１を形成し、リブ２１をスライド溝１４に挿入する。スライド部材２０を挿入する方向の前端であって、テーパ状を呈する一端の内部には、対向して設ける半分ずつで１組となる挟持ブロック２２を組み合わせた円錐形端縁ヘッド部を順に挿入する。該円錐形端縁ヘッド部は中央が貫通孔状になり、かつ孔の内周面を粗い挟持面とする。該挟持面は円弧線を描く凹状か、もしくはＶ字状に形成して、径の異なる釘軸３０の挿入に供し、使用する場合に確実に挿入され、確実に挟持されて固定されるようにする。挟持端の底端部には１組の弾性押圧部材２３を挿設して押圧に供する。さらに、スライド部材２０の他端の口部には螺着部材２４を螺着して固定し、閉鎖する。同時に弾性押圧部材２３を取り付けて固定する。螺着部材２４は、中央を貫通するネジ孔２５を形成して、回転軸２６を螺入し、回転させるために供する。また、スライド座１１に端縁部材１３を螺着する前に、回転軸２６を支持して回転を制御し、動力を節減させる必要から、スライド座１１と端縁部材１３との間には、予め軸受部材２７を設置し、回転軸２６がスライド座１１内に挿入され、スライド部材２０の一端のヘッド部の螺着部材２４が螺合した後、軸体の中央部が支持されて安定した位置決めが得られる。よって、電気、エア釘打座挿入セットに動力を伝動し、回転させて使用する場合、安定した支持と連動が得られる。スライド座１１の外部に伸出する一端には、テーパ状ヘッド部材１５を螺着して取り付けて、スライド座１１の一端を閉鎖して、完全な装置ヘッド部構造の組立を完成させる。また、テーパ状ヘッド部材１５の一端の端面中央に釘抜位置決め部材１６を螺入する。テーパ状ヘッド部材１５の一端の端面中央の孔径は使用する釘軸３０の直径と同一とする。よって、釘軸３０を挿入した後、釘抜の操作を行う場合、釘軸３０は揺れたり、位置がずれたりすることがなく、確実な釘抜操作を達成し、使用上の安全を達成することができる。
【手続補正書】
【提出日】平成29年6月22日(2017.6.22)
【手続補正１】
【補正対象書類名】実用新案登録請求の範囲
【補正対象項目名】全文
【補正方法】変更
【補正の内容】
【実用新案登録請求の範囲】
【請求項１】
電動釘抜機の構造であって、ヘッド座本体を具え、該ヘッド座本体内に、動力を供給する該ヘッド座本体に連結して伝動する回転軸と、及び該回転軸に螺着して釘抜の直線的シフトに用いるスライド部材とを設け、
該ヘッド座本体は、金属鋼材によってなるスライド座とアルミ材によってなる端縁部材とによって金属質の構造を構成し、外側をプラスチック材被覆して一体に成形し、該スライド座の内周面に等間隔で環状に複数のスライド溝を形成し、該スライド部材に該スライド溝に対応する凸出した鍵状のリブを形成して該スライド溝に挿入し、該スライド部材を一端にネジ止めした螺着部材と回転軸とによって螺合して伝動を行う場合に、該リブが該スライド溝内に挿入されて安定した軸方向のスライドシフトするように構成したことを特徴とする電動釘抜機。
【請求項２】
前記スライド座が階段状を呈する長い管体であって、かつ該スライド座の管径の比較的太い一端に、円盤状を呈する端縁部材を螺着して一体に連結し、該端縁部材の円盤状の両端にネジ孔座をそれぞれ対向させて形成することを特徴とする請求項１に記載の電動釘抜機。
【請求項３】
前記スライド部材のリブが口径の太い一端の外周面に等間隔で配置され、該スライド部材を取り付けるテーパ状の一端内部から順に１組の半分の形状の挟持ブロックを挿設し、該挟持ブロックの底端と組み合わせる弾性押圧部材を挿入して押圧し、スライド部材の他端の該螺着部材と該回転軸とによって螺合して駆動する場合に該回転軸が回転して該スライド部材の内側に進入して該押圧部材を押圧し、同時に該挟持ブロックの駆動を制御して釘抜をする釘軸を挟持して固定するように構成したことを特徴とする請求項１に記載の電動釘抜機。
【請求項４】
前記スライド座と該端縁部材との間に軸受部材を設けて、該回転軸が該スライド座内に挿入され、該回転軸の中央部が支持されて安定して位置決めされることを特徴とする請求項１に記載の電動釘抜機。
【請求項５】
前記挟持ブロックは端縁部が円錐状に形成され、中央の面を粗い挟持面とすることを特徴とする請求項３に記載の電動釘抜機。
【請求項６】
電動釘抜機の構造であって、ヘッド座本体を具え、該ヘッド座本体内に、動力を供給する該ヘッド座本体に連結して伝動する回転軸と、及び該回転軸に螺着して釘抜の直線的シフトに用いるスライド部材とを設け、
該ヘッド座本体の一端の端縁部材の両側にネジ孔座を設けて、１組のプラスチック製伸縮アームを組み立ててハンドルアシスト部を構成し、両側の軸体前端に形成したネジ孔座にしたがって、ヘッド座本体両側のネジ孔座にボルトで直接取り付けて、相対するアーム末端に設ける長ボルト３によって、挟持幅の調整と、及び簡易なネジ締めによる挟持、位置決めを行ない該ヘッド座本体との連結構造を形成することを特徴とする請求項１に記載の電動釘抜機。
【請求項７】
前記ハンドルアシスト部をヘッド座に連結して伝動制御する電動せん断機に適用して取り付けることを特徴とする請求項６に記載の電動釘抜機。